(57)【要約】    【課題】      利用者による発信作業の利便性を向上させることができる履歴管理装置を提供すること。    【解決手段】  通信履歴更新部１１１ｂによって、通信先への通信回数を、通信したときの状況を表す通信時状況（例えば曜日、時刻）毎に、通信履歴情報として記憶部１１２に記憶させ、ソート部１１１ａによって、通信時状況毎に、通信回数の多い順に通信先を並べる。そして表示部１０５に、ソート部１１１ａによって並べられた通信先を表示する。これにより、通信時の状況に応じて最も通信する可能性の高い順に通信先が表示されるようになるので、発信作業の利便性が向上する。  【選択図】      図１
2006074509.tif 000002
【特許請求の範囲】
【請求項１】
記憶手段と、
各通信先への通信回数を、通信時の状況を表す通信時状況毎に、通信履歴情報として前記記憶手段に記憶させる通信履歴更新手段と、
前記記憶手段に記憶された前記通信履歴情報に基づいて、前記通信時状況毎に、通信回数の多い順に前記通信先を並べるソート手段と
を具備することを特徴とする履歴管理装置。
【請求項２】
前記通信時状況は、曜日、時刻、位置又は気象条件を含む
ことを特徴とする請求項１に記載の履歴管理装置。
【請求項３】
前記通信時状況は、曜日、時刻、位置及び気象条件のうち、いずれか２つ以上の組合せを含む
ことを特徴とする請求項１に記載の履歴管理装置。
【請求項４】
前記記憶手段は、通信先番号又は通信先アドレスからなる通信先が記憶される通信先記憶領域と、通信時の通信状況を示す通信時状況情報が記憶される通信時状況情報記憶領域と、通信時状況毎の各通信先への通信回数が記憶される通信回数記憶領域と、を有し、
前記通信履歴更新手段は、通信先と通信時の状況に基づいて、当該通信先と通信時の状況に対応する通信回数記憶領域の通信回数をインクリメントする
ことを特徴とする請求項１に記載の履歴管理装置。
【請求項５】
前記記憶手段は、各通信時状況における各通信先への累計の通信時間が記憶される通信時間記憶領域を、さらに有し、
前記ソート手段は、前記通信回数記憶領域に記憶された通信時状況毎の各通信先への通信回数に加えて、前記通信時間記憶領域に記憶された通信時状況毎の各通信先への通信時間に基づいて、前記通信時状況毎に前記通信先を並べる
ことを特徴とする請求項４に記載の履歴管理装置。
【請求項６】
請求項１から請求項５のいずれかの履歴管理装置と、
利用者が通信操作を行う操作部と、
前記ソート手段によりソートされた通信先情報を表示する表示部と
を具備する通信端末。
【請求項７】
通信時の状況を示す通信時情報を取得するステップと、
通信時状況毎の通信先への通信回数を、通信先情報と関連付けて記憶するステップと、
前記通信時状況毎の通信回数に基づいて、前記通信先情報をソートするステップと
を含む履歴管理方法。
【請求項８】
前記通信時状況は、曜日、時刻、位置又は気象条件を含む
ことを特徴とする請求項７に記載の履歴管理方法。
【請求項９】
前記通信時状況は、曜日、時刻、位置及び気象条件のうち、いずれか２つ以上の組合せを含む
ことを特徴とする請求項７に記載の履歴管理方法。
【発明の詳細な説明】
【技術分野】
【０００１】
本発明は履歴管理装置、通信端末及び履歴管理方法に関し、例えば電話機の発信履歴を管理して発信作業の利便性を向上させる技術に関する。
【背景技術】
【０００２】
近年、携帯電話機等の電話機には、相手先電話番号を覚えていなくても、もしくは電話帳といった紙媒体に記録しておかなくても、予め電話機内に登録しておいた電話番号リストから掛けたい番号を選択して電話を掛けることのできる、メモリダイヤル機能が備わっている。しかしながら、このメモリダイヤル機能は、一般的に、５０音順や、予めどの電話番号がどのグループに属するかを設定しておいてそのグループ毎に表示をするといったことしかできず、そこから電話番号を選択する必要がある。このため、電話帳に登録してある電話番号の件数が膨大になってくると、そのリストから目的の電話番号を探し出すのに時間がかかってしまう場合がある。
【０００３】
そこで従来、例えば特許文献１には、メモリダイヤルに登録済みの電話番号への発信回数を記録し、電話番号を発信回数順に並べ替えて表示するメモリダイヤル並べ替え方式が開示されている。
【０００４】
以下、図１０を参照してその概要を説明する。図１０において、発信処理（ＳＴ１０００）の後、発信した電話番号がメモリダイヤルに登録済みのものであるかを判定する（ＳＴ１００１）。未登録の場合（ＳＴ１００１：Ｎｏ）は、何もせずに終了する（ＳＴ１００４）。登録済みの場合（ＳＴ１００１：Ｙｅｓ）は、発信を行った番号の発信回数に１を加算し（ＳＴ１００２）、加算後それが発信回数順ソートエリアの何番目になるかを判断して、発信回数が多い順にソートし（ＳＴ１００３）、終了する（ＳＴ１００４）。
【特許文献１】特開２０００−１３４９１号公報
【発明の開示】
【発明が解決しようとする課題】
【０００５】
しかしながら、従来のメモリダイヤル並び替え方式では、単純に発信回数順に並べ替えているだけなので、例えば、発信回数が多くも少なくもないが、定期的に発信しているような電話番号は、発信回数順のリストの上位に来ることはなく、通常の５０音順等で電話番号を検索する必要がある。このように、発信回数順は必ずしも利用者の望むとおりの順番ではない。
【０００６】
本発明はかかる点に鑑みてなされたものであり、利用者による発信作業の利便性を一段と向上させることができる履歴管理装置、通信端末及び履歴管理方法を提供することを目的とする。
【課題を解決するための手段】
【０００７】
かかる課題を解決するため本発明の履歴管理装置は、記憶手段と、各通信先への通信回数を、通信したときの状況を表す通信時状況毎に、通信履歴情報として記憶手段に記憶させる通信履歴更新手段と、記憶手段に記憶された通信履歴情報に基づいて、通信時状況毎に、通信回数の多い順に通信先を並べるソート手段とを具備する構成を採る。これにより、通信時の状況に応じて最も通信する可能性の高い順に通信先がソートされる。
【発明の効果】
【０００８】
本発明によれば、利用者による発信作業の利便性を一段と向上させることができる履歴管理装置、通信端末及び履歴管理方法を実現できる。
【発明を実施するための最良の形態】
【０００９】
以下、本発明の実施の形態について図面を参照して詳細に説明する。
【００１０】
（実施の形態１）
図１に、本発明の実施の形態１に係る履歴管理装置１１０を装備した通信端末１００の構成を示す。なおこの実施の形態では、通信端末１００が携帯電話機である場合について説明する。但し、通信端末１００は携帯電話機以外に、例えば有線の電話機やＦＡＸであってもよい。要は、本発明の履歴管理装置１１０は、電話番号やＷｅｂアドレスによって発信を行うような通信機器に広く適用できる。
【００１１】
図１において、通信端末１００は、基本構成として、アンテナ１０１と、無線部１０２と、受信データ信号を復調すると共に送信データ信号を変調する変復調部１０３と、ユーザが入力を行う操作部１０４と、画面表示を行う表示部１０５とを有する。
【００１２】
かかる構成に加えて、通信端末１００は、履歴管理装置１１０を有する。履歴管理装置１１０は、変復調部１０３に接続され通信端末１００全体の制御を行う制御部１１１と、メモリダイヤル履歴を含む各種データを記憶しておく記憶部１１２と、時計機能を有し制御部１１１からの要求に応じて制御部１１１に現在の時刻と曜日を通知する時計部１１３とを備えている。
【００１３】
記憶部１１２は、通信先番号又は通信先アドレス等の通信先情報が記憶される通信先記憶領域ＡＲ１と、通信時の曜日及び時刻が通信先情報に関連付けて記憶される通信時状況情報記憶領域ＡＲ２と、曜日及び時刻毎の通信回数が通信先情報に関連付けて記憶される通信回数記憶領域ＡＲ３と、ソート結果記憶領域ＡＲ４とを有する。
【００１４】
制御部１１１は、操作部１０４の操作に応じて変復調部１０３に送信データを送出する機能や変復調部１０３からの受信データを表示部１０５に送出する機能の他に、通信履歴を管理制御する機能を有する。通信履歴の管理制御は、ソート部１１１ａ及び通信履歴更新部１１１ｂにより行う。
【００１５】
通信履歴更新部１１１ｂは、各通信先への通信回数を、通信時状況（この実施の形態の場合、曜日、時刻）毎に、通信回数記憶領域ＡＲ３に記憶させる。
【００１６】
ソート部１１１ａは、通信時状況毎に通信回数記憶領域ＡＲ３に記憶された通信回数情報に基づいて、通信先記憶領域ＡＲ１に記憶された通信先情報を、通信回数が多い順に並べる。そしてソート部１１１ａは、ソート結果をソート結果記憶領域ＡＲ４に記憶させる。またこのソート結果は、利用者から操作部１０４を介して表示要求があると、表示部１０５に表示される。
【００１７】
図２及び図３に、記憶部１１２の具体的な内容を示す。図２に示すように、記憶部１１２は、曜日及び時刻によって複数の領域に分けられた履歴テーブルを有し、通信があると、通信履歴更新部１１１ｂによって、通信を行った曜日及び時刻に対応する領域（アドレス）に、通信先（例えば電話番号）と通信回数が記録される。通信履歴更新部１１１ｂは、同じ曜日及び時刻に、同じ通信先に通信があると、その領域（通信時状況情報記憶領域ＡＲ２）の通信回数をインクリメントする。因みに、図２中の曜日、時刻は、図１の通信時状況情報記憶領域ＡＲ２に相当し、各曜日、時刻に相当する欄は、通信先記憶領域ＡＲ１及び通信回数記憶領域ＡＲ３に相当する。
【００１８】
図３は、ソート部１１１ａによるソート結果を示すものである。ソート部１１１ａは、曜日及び時間毎に通信回数が多い順に、通信先を並べ替える。図３の例では、金曜日の２０：００〜２４：００において通信回数が多い順に通信先が並べられている。この実施の形態の場合、ソート部１１１ａは、このようにして並べた曜日と時間毎のソート結果を、記憶部１１２のソート結果記憶領域ＡＲ４に書き込む。
【００１９】
次に、通信端末１００における履歴管理動作について、図４を用いて説明する。
【００２０】
通信端末１００は、電話発信を終了すると（ＳＴ２００）、発信した電話番号がメモリダイヤルに登録済みの番号か否かを制御部１１１によって判断する（ＳＴ２０１）。ここでメモリダイヤルとは、ユーザが前もって記憶部１１２の通信先記憶領域ＡＲ１に記憶しておいた通信先の電話番号であり、現在においては一般的な機能として通信端末に広く搭載されている機能である。
【００２１】
通信端末１００は、もし、通信した電話番号が未登録の場合は（ＳＴ２０１：Ｎｏ）、何もせずに処理を終了する（ＳＴ２０７）。登録済みの場合（ＳＴ２０１：Ｙｅｓ）、制御部１１１が時計部１１３から現時刻と曜日を得る（ＳＴ２０２）。
【００２２】
次に、通信履歴更新部１１１ｂが、ここで得た曜日と時間が、例えば図２のような履歴テーブルのどの場所（すなわちどの曜日とどの時刻）に対応するかを判断する。そして対応する履歴テーブルの履歴情報中に今発信した番号が登録されているかを確認する（ＳＴ２０３）。もし登録済みの場合（ＳＴ２０３：Ｙｅｓ）、通信履歴更新部１１１ｂは、その番号の発信回数に１を加算する（ＳＴ２０４）。未登録の場合、通信履歴更新部１１１ｂは、新たにその番号を通信回数１回として履歴情報に新規登録する（ＳＴ２０５）。通信回数の更新又は電話番号の新規登録をした後、ソート部１１１ａによって、履歴情報を通信回数が多い順又は少ない順に並べて（ＳＴ２０６）、処理を終了する（ＳＴ２０７）。
【００２３】
次に、通信時の手順について図５を用いて説明する。まず、利用者が操作部１０４の履歴呼び出し用のボタンを操作するなどして、履歴を呼び出す処理を起動する（ＳＴ５００）。次に、制御部１１１が時計部１１３から現在の曜日と時刻を得て（ＳＴ５０１）、その曜日と時刻に対応したソート結果（図３）を記憶部１１２から読み出して表示部１０５に表示させる（ＳＴ５０２）。次に、表示されたリストから利用者が電話番号を選択して電話を発信し（ＳＴ５０３）、終了する（ＳＴ５０４）。
【００２４】
これにより、例えば「金曜の２０時から２４時には、ＡＡさんに電話を掛けることが多い」という場合に、金曜の２１時頃に履歴を呼び出せば、リストの先頭の方にＡＡさんの電話番号が表示されることになる。すなわち、通信を行うときの曜日及び時刻に応じて、通信回数の多い順から通信先を表示できるようになる。これにより、メモリダイヤルから電話番号を検索する手間を省くことができ、非常に短時間で目的の番号に電話を掛けることができる。
【００２５】
かくして本実施の形態によれば、曜日と時刻毎に、通信した電話番号に対応付けて通信回数を記憶させる通信履歴更新部１１１ｂと、曜日と時間毎に、通信回数の多い順に電話番号を並べるソート部１１１ａとを設けたことにより、利用者にとって利便性の良い通信履歴情報を作成することができる履歴管理装置１１０を実現できる。
【００２６】
（実施の形態２）
図１との対応部分に同一符号を付して示す図６に、本実施の形態の通信端末の構成を示す。通信端末２００の履歴管理装置２１０には、時計部に代えて情報部２１１が設けられている。
【００２７】
情報部２１１は、現在の通信端末２００の位置を示す位置情報及び気象情報（例えば天気や気温等）を収集する。情報部２１１は、この位置情報を例えばＧＰＳから取得し、気象情報を例えばＷｅｂサイトから取得するようになっている。
【００２８】
この実施の形態の場合、通信履歴更新部１１１ｂは、通信が行われる毎に、通信を行ったときの位置及び気象に対応する、各通信先への通信回数をインクリメントする。
【００２９】
図７に、本実施の形態の記憶部１１２の具体的な内容を示す。図７に示すように、この実施の形態の記憶部１１２は、位置及び気象（この実施の形態の場合、天気）によって複数の領域に分けられた履歴テーブルを有し、通信があると、通信履歴更新部１１１ｂによって、通信を行った位置及び気象に対応する領域（アドレス）に、通信先と通信回数が記録される。通信履歴更新部１１１ｂは、同じ位置及び気象条件で、同じ通信先に通信があると、その領域（通信時状況情報記憶領域ＡＲ２）の通信回数をインクリメントする。因みに、図２中の位置、気象は、図１の通信時状況情報記憶領域ＡＲ２に相当し、各位置、気象に相当する欄は、通信先記憶領域ＡＲ１及び通信回数記憶領域ＡＲ３に相当する。
【００３０】
次に、本実施の形態の通信端末２００における履歴管理動作について、図８を用いて説明する。なお、図８では、図４と同一の手順には同一符号を付してある。
【００３１】
通信端末２００は、発信した電話番号がメモリダイヤルに登録済みであった場合（ＳＴ２０１：Ｙｅｓ）、制御部１１１が情報部２１１から位置情報及び気象情報を得る（ＳＴ７００）。次に、通信履歴更新部１１１ｂが、ここで得た位置と気象が、例えば図７のような履歴テーブルのどの場所（すなわち位置と気象）に対応するかを判断する。そして対応する履歴テーブルの履歴情報中に今発信した番号が登録されているかを確認する（ＳＴ２０３）。もし登録済みの場合（ＳＴ２０３：Ｙｅｓ）、通信履歴更新部１１１ｂは、その番号の発信回数に１を加算する（ＳＴ２０４）。未登録の場合、通信履歴更新部１１１ｂは、新たにその番号を通信回数１回として履歴情報に新規登録する（ＳＴ２０５）。通信回数の更新又は電話番号の新規登録をした後、ソート部１１１ａによって、履歴情報を通信回数が多い順又は少ない順に並べて（ＳＴ２０６）、処理を終了する（ＳＴ２０７）。
【００３２】
本実施の形態の通信時の手順を、図９に示す。図９では、図５と同一の手順には同一符号を付してある。まず、利用者が操作部１０４の履歴呼び出し用のボタンを操作するなどして、履歴を呼び出す処理を起動する（ＳＴ５００）。次に、制御部１１１が情報部１０８から現在の位置情報と気象情報を得て（ＳＴ９００）、その位置と気象に対応したソート結果を記憶部１１２から読み出して表示部１０５に表示させる（ＳＴ５０２）。表示されたリストから利用者が電話番号を選択して電話を発信し（ＳＴ５０３）、通信を終了する（ＳＴ５０４）。
【００３３】
これにより、例えば「雨の日は駅前からＢＢさんに電話を掛けることが多い」という場合に、雨の日に駅周辺で履歴を呼び出せば、リストの先頭の方にＢＢさんの電話番号が表示されることになる。すなわち、通信を行うときの位置及び気象に応じて、通信回数の多い順から通信先を表示できるようになる。これにより、メモリダイヤルから電話番号を検索する手間を省くことができ、非常に短時間で目的の番号に電話を掛けることができる。
【００３４】
かくして本実施の形態によれば、位置と気象毎に、通信した電話番号に対応付けて通信回数を記憶する通信履歴更新部１１１ｂと、位置と気象毎に、通信回数の多い順に電話番号を並び替えるソート部１１１ａとを設けたことにより、利用者にとって利便性の良い通信履歴情報を作成することができる履歴管理装置２１０を実現できる。
【００３５】
（他の実施の形態）
なお上述した実施の形態では、履歴管理装置１１０、２１０が通信端末１００、２００全体の動作を制御する制御部１１１を含み、この制御部１１１の中に、ソート部１１１ａと通信履歴更新部１１１ｂを設ける場合について説明したが、本発明の履歴管理装置はこれに限らず、要は、ソート部１１１ａ、通信履歴更新部１１１ｂ及び記憶部１１２を設けるようにすればよい。
【００３６】
また上述した実施の形態では、通信回数に基づいてソートを行う場合について述べたが、通信回数に加えて、通信時間を加味してソートを行うようにしてもよい。この場合には、記憶部１１２に通信時間記憶領域を設け、この通信時間記憶領域に各通信時状況での各通信先への通信時間を記憶しておき、ソート部１１１ａによってこの通信時間記憶領域に記憶された時間に基づいて各通信時状況での通信先のソートを行うようにすればよい。
【００３７】
また上述した実施の形態１では、現在の曜日と時刻に対応したソート結果を表示し、実施の形態２では、現在の位置と気象に対応したソート結果を表示する場合について述べたが、利用者が指定した曜日と時刻、位置と気象に対応したソート結果を表示するようにしてもよい。
【００３８】
また上述した実施の形態では、メモリダイヤル登録済みの電話番号についてのみ履歴情報に登録する場合について述べたが、これに限らず、メモリダイヤル未登録の番号についても実施の形態と同様の処理を行うこともできる。
【００３９】
また上述した実施の形態では、履歴を呼び出す処理をした場合には、必ず本発明の履歴管理装置によるソート結果が画面に表示されるようにしたが、通常の発信履歴も呼び出せるように、切り替えることができるようにしてもよい。
【００４０】
また上述した実施の形態１では曜日と時刻の組合せ毎に各電話番号への通信回数をカウントし、実施の形態２では位置と気象の組合せ毎に各電話番号への通信回数をカウントした場合について述べたが、本発明はこれに限らず、曜日、時刻、位置、気象を適宜組み合わせて組合せ毎に各電話番号への通信回数をカウントし、その通信回数の多い順に電話番号をソートして表示するようにしてもよい。例えば、時刻と気象とを組み合わせてもよく、時刻と気象と曜日とを組み合わせるようにしてもよい。さらには、必ずしも組合せを作る必要はなく、例えば曜日毎に各電話番号への通信回数をカウントし、その通信回数の多い順に電話番号をソートして表示してもよい。これは、時刻、位置、気象についても同様である。
【００４１】
また上述した実施の形態では、通信時の状況を表す通信時状況として、曜日、時刻、位置、気象を用いた場合について説明したが、本発明の通信時状況はこれに限らず、例えば周囲の明るさや音などを検知し、これを通信時状況として用いるようにしてもよい。要は、通信時状況としては、その状況によって通信先の通信頻度をランク付けできるようなものであればよい。上述した実施の形態では、このように通信先の通信頻度をランク付けするための好適な通信時状況として、曜日、時刻、位置、気象を用いた場合について説明した。
【００４２】
さらに上述した実施の形態では、主に発信回数を通信回数とする場合について述べたが、受信回数を通信回数としてもよく、さらには発信回数と受信回数を合計したものを通信回数としてもよい。
【００４３】
さらに上述した実施の形態では、通信端末に本発明の履歴管理装置を搭載した場合について説明したが、これに限らず、例えば固定電話機、パソコン、ＰＤＡ（Personal Digital Assistance）等の通信が可能な電子機器に広く適用でき、これらの電子機器に搭載した場合にも上述した実施の形態と同様の効果を得ることができる。
【００４４】
本発明は、上述した実施の形態に限定されずに、種々変更して実施することができる。
【００４５】
本発明の履歴管理装置の一つの態様においては、記憶手段（１１２）と、各通信先への通信回数を、通信時の状況を表す通信時状況毎に、通信履歴情報として記憶手段（１１２）に記憶させる通信履歴更新手段（１１１ｂ）と、記憶手段（１１２）に記憶された通信履歴情報に基づいて、通信時状況毎に、通信回数の多い順に通信先を並べるソート手段（１１１ａ）とを具備する構成を採る。
【００４６】
この構成によれば、通信時状況毎に、利用者が発信する可能性が高い順に通信先を並べることができるので、利用者による発信作業が一段と容易になり、利用者の発信作業の利便性が向上する。
【００４７】
本発明の履歴管理装置の一つの態様においては、通信時状況は、曜日、時刻、位置又は気象条件を含むようにする。
【００４８】
本発明の履歴管理装置の一つの態様においては、通信時状況は、曜日、時刻、位置及び気象条件のうち、いずれか２つ以上の組合せを含むようにする。
【００４９】
これらの構成によれば、例えば「金曜の２０時から２４時には、ＡＡさんに電話を掛けることが多い」という場合に、金曜の２１時頃に履歴を呼び出せば、リストの先頭の方にＡＡさんの電話番号が表示されることになる。また例えば「雨の日は駅前からＢＢさんに電話を掛けることが多い」という場合に、雨の日に駅周辺で履歴を呼び出せば、リストの先頭の方にＢＢさんの電話番号が表示されることになる。
【００５０】
本発明の履歴管理装置の一つの態様においては、記憶手段（１１２）は、通信先番号又は通信先アドレスからなる通信先が記憶される通信先記憶領域（ＡＲ１）と、通信時の通信状況を示す通信時状況情報が記憶される通信時状況情報記憶領域（ＡＲ２）と、通信時状況毎の各通信先への通信回数が記憶される通信回数記憶領域（ＡＲ３）と、を有し、通信履歴更新手段（１１１ｂ）は、通信先と通信時状況とに基づいて、当該通信先と通信時状況に対応する通信回数記憶領域（ＡＲ３）の通信回数をインクリメントする構成を採る。
【００５１】
本発明の履歴管理装置の一つの態様においては、記憶手段（１１２）は、各通信時状況における各通信先への累計の通信時間が記憶される通信時間記憶領域を、さらに有し、ソート手段（１１１ａ）は、通信回数記憶領域（ＡＲ３）に記憶された通信時状況毎の各通信先への通信回数に加えて、通信時間記憶領域に記憶された通信時状況毎の各通信先への通信時間に基づいて、通信時状況毎に通信先を並べる構成を採る。
【００５２】
本発明の通信端末の一つの態様においては、上記履歴管理装置（１１０、２１０）と、利用者が通信操作を行う操作部（１０４）と、ソート手段（１１１ａ）によりソートされた通信先情報を表示する表示部（１０５）とを具備する構成を採る。
【００５３】
本発明の履歴管理方法の一つの態様においては、通信時の状況を示す通信時情報を取得するステップ（ＳＴ２０２、ＳＴ７００）と、通信時状況毎の通信先への通信回数を、通信先情報と関連付けて記憶するステップ（ＳＴ２０４、ＳＴ２０５）と、通信時状況毎の通信回数に基づいて、通信先情報をソートするステップ（ＳＴ２０６）とを含むようにする。
【産業上の利用可能性】
【００５４】
本発明は、携帯電話機や、固定電話機、パソコン、ＰＤＡ等に適用して好適なものである。
【図面の簡単な説明】
【００５５】
【図１】本発明の実施の形態１に係る履歴管理装置を備えた通信端末の構成を示すブロック図
【図２】記憶部の履歴テーブルの内容を示す図
【図３】ソート部によるソート結果を示す図
【図４】実施の形態１の履歴管理動作を示すフローチャート
【図５】実施の形態１の通信時の手順を示すフローチャート
【図６】実施の形態２の履歴管理装置を備えた通信端末の構成を示すブロック図
【図７】実施の形態２の履歴テーブルの内容を示す図
【図８】実施の形態２の履歴管理動作を示すフローチャート
【図９】実施の形態２の通信時の手順を示すフローチャート
【図１０】従来の履歴管理の説明に供するフローチャート
【符号の説明】
【００５６】
１００、２００  通信端末
１０５  表示部
１１０、２１０  履歴管理装置
１１１  制御部
１１１ａ  ソート部
１１１ｂ  通信履歴更新部
１１２  記憶部
２１１  情報部
ＡＲ１  通信先記憶領域
ＡＲ２  通信時状況情報記憶領域
ＡＲ３  通信回数記憶領域
ＡＲ４  ソート結果記憶領域
【図１】
2006074509.tif 000003
【図２】
2006074509.tif 000004
【図３】
2006074509.tif 000005
【図４】
2006074509.tif 000006
【図５】
2006074509.tif 000007
【図６】
2006074509.tif 000008
【図７】
2006074509.tif 000009
【図８】
2006074509.tif 000010
【図９】
2006074509.tif 000011
【図１０】
2006074509.tif 000012